(57)【要約】  【課題】  装置に対するバンドの着脱が容易であり、構造も簡素でコストも低い装着構造、装置、及びバンド固定棒を提供すること。  【解決手段】  脈波センサ１は、センサ本体７とバンド９とバンド固定棒１１、１３とを備えている。バンド固定棒１１は、押さえると径方向に湾曲し、押圧力を除くと元に戻る弾性を有する。センサ本体７には中央凹部２３が設けられ、中央凹部２３の左右にバンド固定棒１１を保持する保持部２５、２７が設けられている。保持部２５、２７には入口凹部２９、３１が設けられ、入口凹部２９、３１にバンド固定棒１１の左右端が嵌入する。入口凹部２９、３１の奥には、３３、３５が設けてある。従って、入口凹部２９、３１から嵌め込まれたバンド固定棒１１の両端は、窪み３３、３５に落ち込んで保持される。また、中央凹部２３の中央部の上部には、長方形状に下方に突出する脱落防止用凸部３７が設けられている。【選択図】  図６
2006314699.tif 000002
【特許請求の範囲】
【請求項１】
バンドによって生体の表面に当接して保持される装置と、前記バンドが係止されるバンド固定棒とを備え、
前記バンドを前記装置に取り付けるために、前記バンド固定棒を前記装置に着脱可能に装着する装着構造において、
前記バンド固定棒は、長尺の棒状の部材であり、
前記装置には、前記バンド固定棒の軸方向の両端がそれぞれ保持される一対の保持部を備え、
前記保持部は、前記バンド固定棒の端部が嵌入可能な入口凹部と、該入口凹部に連通し前記装置の生体側に凹んで前記バンド固定棒の端部が嵌り込む窪みと、を備えたことを特徴とする装着構造。
【請求項２】
バンドによって生体の表面に保持される装置と、前記バンドが係止されるバンド固定棒とを備え、
前記バンドを前記装置に取り付けるために、前記バンド固定棒を前記装置に装着する装着構造において、
前記バンド固定棒は、径方向に湾曲可能な弾性を有する棒状の部材であり、
前記装置には、前記バンド固定棒の軸方向の両端がそれぞれ保持される一対の保持部を備え、
前記保持部は、前記バンド固定棒の端部が嵌入可能な入口凹部を備えるとともに、
前記一対の保持部の間に、前記装置から前記生体側に向かって前記バンド固定棒の保持位置の外側に突出して、前記バンド固定棒の脱落を防止する脱落防止用凸部を備えたことを特徴とする装着構造。
【請求項３】
バンドによって生体の表面に保持される装置と、前記バンドが係止されるバンド固定棒とを備え、
前記バンドを前記装置に取り付けるために、前記バンド固定棒を前記装置に装着する装着構造において、
前記バンド固定棒は、径方向に湾曲可能な弾性を有する棒状の部材であり、
前記装置には、前記バンド固定棒の軸方向の両端がそれぞれ保持される一対の保持部を備え、
前記保持部は、前記バンド固定棒の端部が嵌入可能な入口凹部と、該入口凹部に連通し前記装置の生体側に凹んで前記バンド固定棒の端部が嵌り込む窪みと、を備えるとともに、
前記一対の保持部の間に、前記装置から前記生体側に向かって前記バンド固定棒の保持位置の外側に突出して、前記バンド固定棒の脱落を防止する脱落防止用凸部を備えたことを特徴とする装着構造。
【請求項４】
前記窪みの前記生体側の最下点を、前記入口凹部の前記生体側の下端より低く設定したことを特徴とする請求項１又は３に記載の装着構造。
【請求項５】
前記脱落防止用凸部の前記生体側の最下点を、前記バンド固定棒を前記入口凹部に嵌める際に接触する高さに設定したことを特徴とする請求項２〜４のいずれかに記載の装着構造。
【請求項６】
前記保持部を前記生体側と反対側から見た場合に、外周より内側に設けたことを特徴とする請求項１〜５のいずれかに記載の装着構造。
【請求項７】
前記装置を前記生体側と反対側から見た場合に、前記保持部に装着したバンド固定棒が見えないように、前記保持部を構成したことを特徴とする請求項１〜６のいずれかに記載の装着構造。
【請求項８】
前記保持部に保持されたバンド固定棒と装置との間に、前記バンドが通る程度の隙間を設けたことを特徴とする請求項１〜７のいずれかに記載の装着構造。
【請求項９】
前記一対の保持部の間に、前記装置の外壁を凹ませた中央凹部を設け、該中央凹部に、前記バンド固定棒の中央部を配置する構成としたことを特徴とする請求項１〜８のいずれかに記載の装着構造。
【請求項１０】
前記バンド固定棒は、円柱であることを特徴とする請求項１〜９のいずれかに記載の装着構造。
【請求項１１】
前記バンド固定棒の軸方向の少なくとも一方の端部に、前記バンド固定棒の軸方向に突出し且つバンド固定棒の中央部より薄い板状部を設けるとともに、前記入口凹部の形状を前記板状部が所定の向きの場合に通過可能とするように形成したことを特徴とする請求項１〜１０のいずれかに記載の装着構造。
【請求項１２】
前記一対の保持部の入口凹部間の最大幅が、前記バンド固定棒の軸方向の長さより大であることを特徴とする請求項１〜１１のいずれかに記載の装着構造。
【請求項１３】
前記脱落防止用凸部を、前記一対の保持部の略中央部に配置したことを特徴とする請求項２〜１２のいずれかに記載の装着構造。
【請求項１４】
前記脱落防止用凸部を、複数配置したことを特徴とする請求項２〜１３のいずれかに記載の装着構造。
【請求項１５】
前記バンド固定棒よりも前記バンドの幅が広いことを特徴とする請求項１〜１４のいずれかに記載の装着構造。
【請求項１６】
前記請求項１〜１５の装着構造のうち、前記バンド固定棒が装着される装置側の構造を有することを特徴とする装置。
【請求項１７】
前記装置は、前記生体に密着して生体の情報を検出する装置であることを特徴とする請求項１６に記載の装置。
【請求項１８】
前記請求項１〜１５の装着構造のうち、前記装置に装着されるバンド固定棒側の構造を有することを特徴とするバンド固定棒。
【発明の詳細な説明】
【技術分野】
【０００１】
本発明は、例えば腕に装着して、脈波等を検出する脈波センサなどに適用できる装着構造、装置、及びバンド固定棒に関するものである。
【背景技術】
【０００２】
従来より、例えば反射型光学装置を用いて脈拍数を検出する腕時計型の脈波センサが知られている（特許文献１参照）。この脈波センサは、反射型光学装置を内蔵したセンサ本体にリストバンドを取り付けたものであり、リストバンドを腕に巻き付けてフック等によって係止することにより、センサ本体を腕に固定していた。
【特許文献１】特開平２００１−７８９７２号公報
【発明の開示】
【発明が解決しようとする課題】
【０００３】
しかしながら、上述した技術では、リストバンドは、従来の腕時計用のバネ棒（即ち軸方向にバネで伸縮するバネ棒）を用いてセンサ本体に固定するので、リストバンドの着脱（特に取り外し）が難しいという問題があった。
【０００４】
また、バネ棒の構造が複雑であるので、コストも高いという問題があった。
本発明は、前記課題を解決するためになされたものであり、その目的は、装置に対するバンドの着脱が容易であり、構造も簡素でコストも低い装着構造、装置、及びバンド固定棒を提供することにある。
【課題を解決するための手段】
【０００５】
（１）請求項１の発明は、バンドによって生体の表面に当接して保持される装置（例えば脈波センサ）と、バンドが係止されるバンド固定棒とを備え、バンドを装置に取り付けるために、バンド固定棒を装置に着脱可能に装着する装着構造に関するものである。
【０００６】
本発明では、バンド固定棒は、長尺の棒状の部材であり、装置には、バンド固定棒の軸方向の両端がそれぞれ保持される一対の保持部を備えている。そして、この保持部は、バンド固定棒の端部が嵌入可能な入口凹部と、入口凹部に連通し装置の生体側に凹んでバンド固定棒の端部が嵌り込む窪みとを備えている。
【０００７】
従って、本発明では、バンド固定棒の両端を左右の入口凹部から入れ、左右の窪みに嵌め込むことによって、バンド固定棒を保持部に装着することができる。これにより、バンドをセンサ本体に取り付けることができる。
【０００８】
よって、本発明では、装置に対するバンドの着脱が容易であり、しかも、バンド固定棒の構造もシンプルでありコストも低いという顕著な効果を奏する。
（２）請求項２の発明は、バンドによって生体の表面に保持される装置（例えば脈波センサ）と、バンドが係止されるバンド固定棒とを備え、バンドを装置に取り付けるために、バンド固定棒を装置に装着する装着構造に関するものである。
【０００９】
本発明では、バンド固定棒は、径方向（軸方向と垂直方向）に湾曲可能な弾性を有する棒状の部材であり、装置には、バンド固定棒の軸方向の両端がそれぞれ保持される一対の保持部を備えている。そして、この保持部は、バンド固定棒の端部が嵌入可能な入口凹部を備えるとともに、左右の保持部の間に、装置から生体側に向かってバンド固定棒の保持位置の外側に突出して、バンド固定棒の脱落を防止する脱落防止用凸部を備えている。
【００１０】
従って、本発明では、バンド固定棒を径方向に湾曲させて脱落防止用凸部を乗り越えさせ、バンド固定棒の両端を左右の入口凹部から入れることによって、バンド固定棒を保持部に装着することができる。これにより、バンドをセンサ本体に取り付けることができる。
【００１１】
よって、本発明では、装置に対するバンドの着脱が容易であり、しかも、バンド固定棒の構造もシンプルでありコストも低いという顕著な効果を奏する。また、バンド固定棒は、外方向（例えば入口凹部側）に引っ張られた場合でも脱落防止用凸部に当たるので、外側に脱落し難いという利点がある。
【００１２】
尚、ここで保持位置とは、バンド固定棒が窪みや入口凹部から外部に脱落しないように保持される位置であり、従って、脱落防止用凸部が突出する位置としては、入口凹部の開口部分が挙げられる。
【００１３】
（３）請求項３の発明は、バンドによって生体の表面に保持される装置（例えば脈波センサ）と、バンドが係止されるバンド固定棒とを備え、バンドを装置に取り付けるために、バンド固定棒を装置に装着する装着構造に関するものである。
【００１４】
本発明では、バンド固定棒は、径方向に湾曲可能な弾性を有する棒状の部材であり、装置には、バンド固定棒の軸方向の両端がそれぞれ保持される一対の保持部を備えている。そして、この保持部は、バンド固定棒の端部が嵌入可能な入口凹部と、入口凹部に連通し装置の生体側に凹んでバンド固定棒の端部が嵌り込む窪みとを備えるとともに、一対の保持部の間に、装置から生体側に向かってバンド固定棒の保持位置の外側に突出して、バンド固定棒の脱落を防止する脱落防止用凸部を備えている。
【００１５】
従って、本発明では、バンド固定棒を径方向に湾曲させて脱落防止用凸部を乗り越えさせ、バンド固定棒の両端を左右の入口凹部から入れて、左右の窪みに嵌め込むことによって、バンド固定棒を保持部に装着することができる。これにより、バンドをセンサ本体に取り付けることができる。
【００１６】
よって、本発明では、装置に対するバンドの着脱が容易であり、しかも、バンド固定棒の構造もシンプルでありコストも低いという顕著な効果を奏する。また、バンド固定棒は、外方向（例えば入口凹部側）に引っ張られた場合でも脱落防止用凸部に当たるので、外側に脱落し難いという利点がある。
【００１７】
尚、ここで保持位置とは、バンド固定棒が窪みや入口凹部から外部に脱落しないように保持される位置であり、従って、脱落防止用凸部が突出する位置としては、入口凹部の開口部分が挙げられる。
【００１８】
（４）請求項４の発明では、窪みの生体側の最下点を、入口凹部の生体側の下端より低く設定している。
従って、バンド固定棒が外方向に引っ張られても、バンド固定棒は窪みから出て外側に脱落し難いという利点がある。
【００１９】
（５）請求項５の発明では、脱落防止用凸部の生体側の最下点を、バンド固定棒を入口凹部に嵌める際に接触する高さに設定している。
従って、バンド固定棒が外方向に引っ張られても、バンド固定棒は脱落防止用凸部に当たるので、外側に脱落し難いという利点がある。
【００２０】
（６）請求項６の発明では、保持部を生体側と反対側から見た場合に、外周より内側に設けている。
従って、装置の外観に凹凸が少なく見栄えが良いという利点がある。また、装置と生体との間に隙間が生じにくく、装置が生体に密着するという効果がある。従って、例えば光学的手段を用いて生体情報を測定する場合には、測定精度が向上するという利点がある。
【００２１】
尚、保持部を外周より内側に設けることによって、窪みも外周より内側に位置することになる。
（７）請求項７の発明では、装置を生体側と反対側から見た場合に、保持部に装着したバンド固定棒が見えないように、保持部を構成している。
【００２２】
従って、前記請求項６と同様に、装置の外観の見栄えが良いという利点がある。
（８）請求項８の発明では、保持部に保持されたバンド固定棒と装置との間に、バンドが通る程度の隙間を設けている。
【００２３】
従って、バンドに通したバンド固定棒を、センサ本体側に容易に取り付けることができる。
尚、窪みの装置中心側への寸法を調節することにより（即ち、窪みの部分で段差を設けることにより）、バンドが通る程度の隙間を設けることができる。
【００２４】
（９）請求項９の発明では、一対の保持部の間に、装置の外壁を凹ませた中央凹部を設け、この中央凹部にバンド固定棒の中央部（即ち保持部に保持されるバンド固定棒の端部の間の部分）を配置している。
【００２５】
本発明は、バンド固定棒の配置状態を例示したものである。これにより、バンド固定棒は、装置の外周より内側に収納されることになる。
（１０）請求項１０の発明では、バンド固定棒は、円柱である。
【００２６】
本発明はバンド固定棒の形状を例示したものであり、これ以外に、四角柱、六角柱等の各種の角柱を採用できる。
これらのバンド固定棒は、例えば指等で湾曲させることができる樹脂や金属等の弾性部材などであるので、保持部の入口凹部や窪みに簡単に嵌め込むことができる。
【００２７】
尚、バンド固定棒は樹脂や金属等の単一の材料で構成するとコストを一層低減できる。また、軸方向に同形状であると構造がシンプルであるので好ましい。更に、上述したバンド固定棒は、例えばバンドの長手方向の両端に設けられた（バンドの幅方向に伸びる）貫通孔に貫挿される。
【００２８】
（１１）請求項１１の発明では、バンド固定棒の軸方向の少なくとも一方の端部に、バンド固定棒の軸方向に突出し且つバンド固定棒の中央部（例えば円柱部分）より薄い板状部を設けている。それとともに、入口凹部の形状（例えば開口寸法：一対の保持部の配置方向と垂直の開口寸法）を、板状部が所定の向きの場合に限定して通過可能とするように形成している。
【００２９】
例えば、開口寸法を板状部の厚みよりも僅かに大きくして、入口凹部の開口部分に対して板状部の最も寸法の短い方を向けたときのみ通過できるように設定している。
従って、バンド固定棒が特定の向きとなった場合しかバンド固定棒を保持部から外すことができないので、バンド固定棒が外方向（例えば上方外側）に力を受けても、バンド固定棒が窪みや入口凹部から外側に脱落し難いという利点がある。
【００３０】
（１２）請求項１２の発明では、一対の保持部の入口凹部間の最大幅が、バンド固定棒の軸方向の長さより大である。
従って、バンド固定棒の両端を左右の入口凹部に容易に嵌め込むことができる。
【００３１】
（１３）請求項１３の発明では、脱落防止用凸部を、一対の保持部の略中央部に配置している。
よって、バンド固定棒の端部を入口凹部に嵌め込む際に、バンド固定棒は最小の湾曲で済むという利点がある。
【００３２】
（１４）請求項１４の発明では、脱落防止用凸部を複数配置している。
よって、バンド固定棒が一層脱落し難いという利点がある。
（１５）請求項１５の発明で、バンド固定棒よりもバンドの幅が広い。
【００３３】
よって、センサ本体を安定して固定できるという利点がある。
（１６）請求項１６の発明は、請求項１〜１５の装着構造のうちの装置を示している。
（１７）請求項１７の発明では、装置は、生体に密着して生体の情報を検出する装置である。この装置としては、装置の生体側に光学的な測定部を有している脈波センサ等が挙げられる。
【００３４】
（１８）請求項１８の発明は、請求項１〜１５の装着構造のうちのバンド固定棒を示している。
このバンド固定棒は、従来より構造がシンプルでコストも低いという効果がある。
【発明を実施するための最良の形態】
【００３５】
以下に本発明の最良の実施形態（実施例）を、図面と共に説明する。
【実施例１】
【００３６】
ここでは、人の腕に密着して装着し、脈波等の生体情報を検出する生体情報検出装置、詳しくは、光学的手段により脈波等を検出する脈波センサを例に挙げて説明する。
ａ）まず、本実施例の脈波センサの基本的な構成について、図１〜図４に基づいて説明する。
【００３７】
図１に示す様に、脈波センサ１は、人の腕３等に取り付けられる携帯用の装置であり、光学的に脈波等を測定する測定部５を有するセンサ本体７と、センサ本体７を腕に取り付けるための帯状のバンド９と、バンド９をセンサ本体７に取り付けるバンド固定棒１１、１３（図４参照）とを備えている。
【００３８】
前記測定部５は、図示しないが、緑光の発光ダイオード（緑ＬＥＤ）と、赤外光の発光ダイオード（赤外ＬＥＤ）と、その反射光を受光する１個のフォトダイオード（ＰＤ）等を備えている。このうち、緑ＬＥＤは、人体に緑色の光を照射し、その反射光から（即ち毛細動脈にあるヘモグロビンの量の変化から）脈波を検出するためのものであり、赤外ＬＥＤは、人体に赤外光を照射し、その反射光から、体動を検出するためのものである。
【００３９】
前記センサ本体７は、略直方体形状の板状の装置であり、その表面（同図上方）には、表示部や各種のスイッチ（図示せず）が配置されて、表面と反対側（生体側：同図下方）の裏面に、前記測定部５が配置されている。そして、この裏面（従って測定部５）が、腕３の表面に密着する。
【００４０】
前記バンド固定棒１１は、図２（ａ）に示す様に、例えばφ２ｍｍ×長さ（Ｗ１）３３ｍｍの円柱であり、その軸方向にて同じ直径寸法の形状を有している。このバンド固定棒１１は、アクリルなどの樹脂材からなり、図３に示す様に、指などで押さえることにより径方向（軸方向と垂直方向）に湾曲し、押圧力を除くと元に戻る弾性を有する。
【００４１】
尚、バンド固定棒１１の形状としては、四角柱状（図２（ｂ）参照）、六角柱状（図２（ｃ）参照）等の角柱でもよい。また、その材料も、アクリルに限らず、ポリカーボネート等の樹脂や金属を採用できる。
【００４２】
前記バンド９は、図４に示す様に、例えばゴム材又は丸編材などの伸縮性に富む材料からなり、その両端はループ状にされて、バンド固定棒１１、１３が嵌挿される貫通穴１５、１７が設けられている。
【００４３】
従って、貫通穴１５、１７に通されたバンド固定棒１１、１３を、前記図１に示す様に、それぞれセンサ本体７の両側に設けられた取付機構１９、２１に装着することにより、バンド９をセンサ本体７に取り付けることができる。
【００４４】
これによって、バンド９とセンサ本体７とが環状となるので、その輪の中に腕３を通すことにより、バンド９の伸縮性によって、脈波センサ１を腕３に固定することができる。
ｂ）次に、バンド固定棒１１、１３をセンサ本体７に装着する装着構造について、図５〜図７に基づいて説明する。
【００４５】
尚、図５は図１のＡ方向から見た説明図、図６（ａ）及び図７は図５（ａ）のＢ方向からみた断面を示す説明図である。
図５（ａ）に示す様に、センサ本体７の側面の生体側（下端側）の角部には、バンド固定棒１１を装着する前記取付機構１９、２１が設けられている。尚、この取付機構１９、２１は左右同様な構成であるので、一方の取付機構１９を例に挙げて説明する。
【００４６】
前記取付機構１９には、左右方向に裏側面に沿って細長く凹ませた中央凹部２３が設けられ、この中央凹部２３の左右の両端には、バンド固定棒１１を保持する一対の保持部２５、２７が設けられている。尚、ここで左右方向とは、バンド固定棒１１を取付機構１９に装着した場合におけるバンド固定棒１１の軸方向を意味する。
【００４７】
各保持部２５、２７には、同図手前方向に開口する縦２．１ｍｍ×横２ｍｍの入口凹部２９、３１が設けられ、この入口凹部２９、３１に、バンド固定棒１１の左右端が嵌入する。
【００４８】
また、図５（ｂ）に示す様に、中央凹部２３の左右方向の長さＷ２は、例えば３０ｍｍとバンド固定棒１１の長さＷ１より短く設定されるとともに、左右の入口凹部２９、３１の最大幅Ｗ３は、例えば３４ｍｍとバンド固定棒１１の長さＷ１より長く設定されている。
【００４９】
更に、図６（ａ）に示す様に、入口凹部２９、３１の奥（センサ本体７の中心側）には、生体側（同図下方）に切り欠かれた窪み３３、３５（図５（ａ）参照）が設けてある。従って、入口凹部２９、３１から嵌め込まれたバンド固定棒１１の両端は、図６（ｂ）に示す様に、この窪み３３、３５に落ち込んで保持されることになる。
【００５０】
また、前記図５に示す様に、中央凹部２３の左右方向の中央部の上部には、長方形状に下方に突出する脱落防止用凸部３７（図５（ａ）にて斜線で示す部分）が設けられている。
【００５１】
この脱落防止用凸部３７の下端（最下点）は、図７（ａ）に示す様に、バンド固定棒１１を入口凹部２９、３１に嵌め込む際のバンド固定棒１１の上端より下方にくるように設定されている。従って、一旦この脱落防止用凸部３７を乗り越えて入口凹部２９、３１に嵌め込まれたバンド固定棒１１は、入口凹部２９、３１の外側に脱落し難くなる。
【００５２】
また、図７（ｂ）に示す様に、入口凹部２９、３１の開口部分の最下点ｔ１よりも、窪み３３、３５の最下点ｔ２が低く設定されるとともに、窪み３３、３５に配置されたバンド固定棒１１の軸中心の高さより、入口凹部２９、３１の開口部分の最下点ｔ１が高く設定されている。
【００５３】
更に、入口凹部２９、３１及び窪み３３、３５の奥側の内周面は、中央凹部２３より一段高くなっており、この段部３９により、中央凹部２３の壁面２３ａとバンド固定棒１１との間に幅Ｗ４の隙間４１ができている。従って、この隙間４１を利用して、バンド固定棒１１の周りのバンド９が配置されることになる。
【００５４】
ｃ）この様に、本実施例では、バンド固定棒１１は径方向に湾曲可能な弾性を有する棒状の部材であり、センサ本体７には、バンド固定棒１１の軸方向の両端がそれぞれ保持される一対の保持部２５、２７を備えている。そして、この保持部２５、２７には、バンド固定棒１１の端部が嵌入可能な入口凹部２９、３１と、入口凹部２９、３１に連通し裏側に凹んでバンド固定棒１１の端部が嵌り込む窪み３３、３５とを備えている。また、一対の保持部２５、２７の間に、センサ本体７から裏側に向かって突出する脱落防止用凸部３７を備えている。
【００５５】
従って、本実施例では、バンド固定棒１１を径方向に湾曲させて脱落防止用凸部３７を乗り越えさせ、バンド固定棒１１の両端を左右の入口凹部２９、３１から入れて、左右の窪み３３、３５に嵌め込むことによって、バンド固定棒１１を保持部２５、２７に装着することができる。これにより、バンド９をセンサ本体７に取り付けることができる。
【００５６】
よって、本実施例では、バンド９の着脱が容易であり、しかも、バンド固定棒１１の構造がシンプルでありコストも低いという顕著な効果を奏する。
また、脱落防止用凸部３７の下端は、バンド固定棒１１を入口凹部２９、３１に嵌める際のバンド固定棒１１の上端（従って入口凹部２９、３１の開口部分の上端）より低く設定されている。よって、バンド固定棒１１が外方向（例えば入口凹部２９，３１側）に引っ張られても、バンド固定棒１１は脱落防止用凸部３７に当たるので、外側に脱落し難いという利点がある。しかも、バンド固定棒１１の端部は窪み３３、３５に嵌り込んでいるので、その点からも、外側に脱落し難い構成となっている。
【００５７】
更に、本実施例では、保持部２５、２７はセンサ本体７から外方向に突出しておらず、保持部２５、２７（従って窪み３３、３５）やバンド固定棒１１は、センタ本体７の表面側から見た場合に、外周より内側にあって、見えないようになっている。従って、センサ本体７の外観に凹凸が少なく見栄えが良いという利点がある。また、これによって、センサ本体７と腕との間に隙間が生じにくく、センサ本体７が腕の表面に密着するので、光学的手段による測定精度が向上するという利点がある。
また、図８に示す様に、中央凹部２３の上部に、複数の脱落防止用凸部３７ａ、３７ｂを左右方向に並べて設けてもよい。複数設けることにより、バンド固定棒１１を径方向に湾曲させて脱落防止用凸部３７ａ、３７ｂを乗り越えさせ、バンド固定棒１１の両端を左右の入口凹部２９、３１から入れて固定する際に、１個の脱落防止用凸部３７の場合よりも強く湾曲させる必要がある。これにより、バンド固定棒１１が外方向（例えば入口凹部２９、３１側）に引っ張られた場合でも、外れることを一層効果的に防止することができる。
【実施例２】
【００５８】
次に、実施例２について説明するが、前記実施例１と同様な構成の説明は省略する。
本実施例の脈波センサでは、図９に示す様に、円柱形状のバンド固定棒５１の軸方向の両端に、直方体形状の板状部（端部凸部）５３を備えている。
【００５９】
一方、センサ本体５５の取付機構５７の入口凹部５９は、その開口部分５９ａがバンド固定棒５１の円柱部分の直径よりも小さく形成されている。
具体的には、開口部分５９ａの上下方向の寸法Ｌ１は、バンド固定棒５１を入口凹部５９に嵌め込む際に、端部凸部５３を自身の長尺方向に挿入可能な様に、端部凸部５３の厚み方向の寸法Ｌ２が設定されている。つまり、開口部分５９ａの上下方向の寸法Ｌ１は、端部凸部５３の厚み方向の寸法Ｌ２と、ほぼ同様で若干大きく設定されている。
【００６０】
これによって、バンド固定棒５１が入口凹部５９の開口部分５９ａを通過して、窪み６１内に収容された後には、バンド固定棒５１が外方向に引っ張られた場合でも、一層抜け難くなるという効果がある。
【実施例３】
【００６１】
次に、実施例３について説明するが、前記実施例１と同様な構成の説明は省略する。
図１０（ａ）に示す様に、バンド７１として伸縮性に富む材料を使用する場合には、バンド固定棒７３の軸方向の寸法Ｗ１よりも幅の寸法Ｗ５の大きなバンド７１を使用することができる。
【００６２】
尚、図１０（ｂ）に模式的に示す様に、バンド固定棒７３を保持部７５、７７に装着する場合には、バンド固定棒７３の周囲のバンド７１の幅を狭くして装着する。
そして、バンド７１の幅が広いほど装着時の安定性を増すことができ、測定精度も向上するという利点がある。
【００６３】
尚、本発明は前記実施例になんら限定されるものではなく、本発明を逸脱しない範囲において種々の態様で実施しうることはいうまでもない。
（１）例えば、前記各実施例では、センサ本体の取付機構に脱落防止用凸部及び窪みの両方の構成を備えた例を挙げたが、脱落防止用凸部及び窪みのどちらか一方のみでも、効果はある。尚、窪みのみを設けた場合には、バンド固定棒として弾性のないものも用いることができる。
【００６４】
（２）また、バンドの材料として伸縮性の無い材料を使用する場合には、腕等の寸法に応じて、バンドの長さを調節することが望ましい。
【図面の簡単な説明】
【００６５】
【図１】実施例１の脈波センサを装着した状態を示す説明図である。
【図２】脈波センサに用いることができるバンド固定棒を例示する斜視図である。
【図３】バンド固定棒の湾曲状態を示す説明図である。
【図４】バンドを示す説明図である。
【図５】センサ本体を図１のＡ方向から見た説明図である。
【図６】（ａ）は図５（ａ）のＢ方向からみた断面を示す説明図、（ｂ）は保持部近傍を図１のＡ方向から見た説明図である。
【図７】図５（ａ）のＢ方向からみた断面を示す説明図である。
【図８】脱落防止用凸部が異なる他の応用例を示す説明図である。
【図９】（ａ）実施例２の脈波センサに用いることができるバンド固定棒を例示する斜視図、（ｂ）センサ本体の取付機構近傍をバンド固定棒の軸方向から示す説明図である。
【図１０】（ａ）実施例３の脈波センサの概略を示す説明図、（ｂ）その要部を拡大して示す説明図である。
【符号の説明】
【００６６】
１…脈波センサ
７、５５…センサ本体
９、７１…バンド
１１、１３、５１、７３…バンド固定棒
１９、５７…取付機構
２３…中央凹部
２５、２７、７５、７７…保持部
２９、３１、５９…入口凹部
３３、３５、６１…窪み
３７、３７ａ、３７ｂ…脱落防止用凸部
【図１】
2006314699.tif 000003
【図２】
2006314699.tif 000004
【図３】
2006314699.tif 000005
【図４】
2006314699.tif 000006
【図５】
2006314699.tif 000007
【図６】
2006314699.tif 000008
【図７】
2006314699.tif 000009
【図８】
2006314699.tif 000010
【図９】
2006314699.tif 000011
【図１０】
2006314699.tif 000012